(57)【要約】      （修正有）【課題】まな板上に塗布した洗剤を素早く均等に延ばし、かつ、まな板上の水気を素早く払拭することができるまな板ワイパーを提供する。【解決手段】表面に撥水性を有し、少なくとも２つの直線的な長辺を有する板形状の本体部１１と、弾性体によって形成されてかつ本体部の２つの長辺を一定の幅で覆うよう法線方向に延設される弾性部１２とを具え、弾性部の一方の長辺は波形切れ目状の縁を有するコーム部１３からなり、他方の長辺は直線状の縁を有するブレード部１４から構成するようにした。【選択図】図１
0003199934.tif 000002
【実用新案登録請求の範囲】
【請求項１】
表面に撥水性を有し、
少なくとも２つの直線的な長辺を有する板形状の本体部と、
弾性体によって形成されてかつ前記本体部の２つの長辺を一定の幅で覆うよう法線方向に延設される弾性部と、を具え、
前記弾性部の一方の長辺は、波形切れ目状の縁を有するコーム部からなり、他方の長辺は、直線状の縁を有するブレード部からなることを特徴とするまな板ワイパー。
【請求項２】
前記ブレード部の一部の板厚が、さらに薄く形成されることを特徴とする請求項１に記載のまな板ワイパー。
【考案の詳細な説明】
【技術分野】
【０００１】
本考案は、まな板上に塗布した洗剤を素早く均等に延ばす機能と、まな板上の水気を素早く払拭する機能とを有するまな板ワイパーに関する。
【背景技術】
【０００２】
一般に、まな板で食材を切る際には、まず調理前にまな板に水をかけ、また、食材がかわる毎にも流水で洗い流して、水気を拭き取ってから次の素材を扱う作業に入ることによって、それぞれの材料の匂いや汁、脂、色が移るのを防ぐことが望まれる。
【０００３】
特に魚や肉等、食材によっては、水洗いだけではなく、洗剤を塗布し、ワイヤータワシ等で擦り洗いをすることが必要とされる。
【０００４】
このように、調理中は、まな板を洗うことが頻繁に繰り返されるが、濡れたまな板の水気を切るまたは拭うには、包丁を横に滑らせて水を切る、布巾またはキッチンペーパーで拭う等の方法が挙げられる。
【０００５】
しかしながら、包丁によって水を切る場合は、包丁の刃先がカーブしているため、平らなまな板上の水気を綺麗に掃うことは難しい上、まな板の表面や包丁の刃を痛める虞がある。
【０００６】
また、布巾で水気を拭う場合は、濡れた布巾は雑菌が繁殖しやすいため、こまめな衛生管理が求められ、汚染された布巾を使わないようにするとなると、布巾を何枚も用意し、洗濯、除菌する手間がかかり煩雑である。
【０００７】
キッチンペーパーを使い捨てる方法は、衛生的かつ容易であるが、一度の調理で何枚も必要され、コスト的にも環境的にも好ましくない。
【０００８】
他方、素早く次の手順に移り調理を円滑に行うため、まな板の洗浄および水気の払拭は迅速に行われることが望まれる。
【考案の概要】
【考案が解決しようとする課題】
【０００９】
そこで、本考案は、上述した事情に鑑み、まな板上に塗布した洗剤を素早く均等に延ばし、かつ、まな板上の水気を素早く払拭することができるまな板ワイパーを提供することを目的とする。
【課題を解決するための手段】
【００１０】
上述した課題を解決するために、本考案のまな板ワイパーは、表面に撥水性を有し、少なくとも２つの直線的な長辺を有する板形状の本体部と、弾性体によって形成されてかつ前記本体部の２つの長辺を一定の幅で覆うよう法線方向に延設される弾性部とを具え、前記弾性部の一方の長辺は波形切れ目状の縁を有するコーム部からなり、他方の長辺は直線状の縁を有するブレード部から構成されるようにしている。
【００１１】
さらに、前記ブレード部の一部の板厚を、さらに薄く形成するようにしてもよい。
【考案の効果】
【００１２】
このように、一定の幅を持つ弾性部によってコーム部およびブレード部を形成したので、この弾性部をまな板の表面に押し付けた際に弾性部が撓んでその縁が密着し、洗剤を素早く均等に延ばすまたは水気を払拭することができる。
できる。
【００１３】
さらに、ブレード部の一部の板厚を薄く形成すれば、凸曲面形状を有する包丁の平にも密着して、包丁の水気を払拭することもでき、まな板のみならず包丁も同時に水気を払拭することが可能である。
【図面の簡単な説明】
【００１４】
【図１】本考案に係るまな板ワイパーの第１の実施形態を示す、（ａ）正面図、（ｂ）左側面図。
【図２】本考案に係るまな板ワイパーの第２の実施形態を示す正面図。
【考案を実施するための形態】
【００１５】
以下、添付図面を参照して本考案の好適な実施の形態を詳細に説明する。なお、下記実施例は、本考案の好適な実施の形態を示したものに過ぎず、本考案の技術的範囲は、下記実施例そのものに何ら限定されるものではない。
【００１６】
（第１の実施形態）
図１に示す第１の実施形態のまな板ワイパー１０は、ＡＢＳ樹脂等によって略鋭角二等辺三角形の薄い板形状に形成された本体部（持ち手部）１１と、シリコンゴム等の弾性体によって形成されてかつ本体部１１の２つの長辺を一定の幅で覆うよう法線方向に延設される弾性部１２とから構成され、表面に撥水性を有するよう形成される。
【００１７】
弾性部１２の一方の長辺は、波形切れ目状の縁を有するコーム部１３からなり、他方の長辺は、直線状の縁を有するブレード部１４からなる。この際、コーム部１３およびブレード部１４の長さは、それぞれ一般的なまな板の短辺に収まる程度に形成されることが好ましい。
【００１８】
このコーム部１３とブレード部１４とは、それぞれの縁部をまな板に密着させて該縁部にほぼ垂直な方向に摺動させることによって、それぞれまな板に塗布された洗剤を延ばす機能とまな板の水気を払拭する機能とを有する。
【００１９】
洗剤を用いてまな板を洗浄する際は、まな板の洗浄面に洗剤を適量塗布し、コーム部１３の縁部を洗浄面に軽く押し付けながら、洗浄面上を摺動させることによって、洗剤を素早く均等に延ばすことができる。この際、まな板の傷目の中にも洗剤を塗り込むことができる。
【００２０】
この際、まな板ワイパー１０にも洗剤が付着するので、まな板と一緒に流水でよく洗い流しておく。
【００２１】
そして、濡れたまな板の被拭き取り面に対してブレード部１４の縁部を軽く押し付けると弾性体であるブレード部１４の縁部が撓むので、ブレード部１４の縁部がまな板の被拭き取り面に密着しながら被拭き取り面上をブレード部１４が摺動し、まな板の水気を払拭することができる。
【００２２】
なお、まな板ワイパー１０に付着した水気は、まな板ワイパー１０を軽く振り下ろすことで簡単に払うことができる。
【００２３】
（第２の実施形態）
図２に示す第２の実施形態のまな板ワイパー２０は、ＡＢＳ樹脂等によって略鋭角二等辺三角形の薄い板形状に形成された本体部（持ち手部）２１と、シリコンゴム等の弾性体によって形成されてかつ二つの長辺を一定の幅で覆うよう法線方向に延設される弾性部２２とから構成され、さらに、弾性部２２の一方の長辺は、波形切れ目状の縁を有するコーム部２３からなり、他方の長辺は、直線状の縁を有するブレード部２４からなる点においては、前記第１の実施形態と同様である。
【００２４】
まな板ワイパー２０は、さらに、濡れた包丁の水気を払拭する機能を有する薄ブレード部２５をブレード部２４の一部に形成している。この薄ブレード部２５は、ブレード部２４の一部であって、ブレード部２４よりさらに板厚が薄く、その長さが一般的な包丁の刃の高さより若干大きくなるように形成される。
【００２５】
そして、まな板の水気を払拭する場合と同様に、薄ブレード部２５の縁部を包丁の根元から先端に向かって摺動させることによって水気を払拭できる。肉厚薄くすることによって、凸曲面形状である包丁の平にも密着するようにして、薄ブレード部２５を摺動させる際の追従性を向上させている。
【００２６】
また、ブレード部２４の方が薄ブレード部２５より柔軟性が低いことを利用して、薄ブレード部２５の両端をガイドとして使い、かつ包丁の根元側から薄ブレード部２５を摺動させることによって、薄ブレード部２５およびブレード部２４を誤って切ってしまうことを防止することができる。
【００２７】
なお、各図面に記載したまな板ワイパー１０、２０の各部の形状および寸法比は、本考案の技術的範囲を限定するものではなく、例えば、本体部１１、２１の形状は長方形等でも構わない。
【００２８】
また、コーム部１３、２３の波形のピッチは一定でなくてもよく、例えば、中心部は細かく、両端部を粗く形成すると、一般的に最も汚れるまな板の中心部に塗布した洗剤を、さらに素早く端部まで延ばすとともに、両端部には洗剤を多く延ばしすぎないようにすることが可能となる。
【００２９】
さらに、本体部１１、２１に引っ掛け孔を穿設すると、台所等の所定の場所に設けたぶら下げフックに引っ掛けて収納することができ、日常的に使用するのに便利である。
または、まな板ワイパー１０、２０の一部を差し込むまたは支えて立て置くスタンド等を用意してもよい。
【産業上の利用可能性】
【００３０】
本考案による洗浄および水切りの対象は、家庭用のまな板に限らず、扁平な表面を有するものであれば適用可能である。
【符号の説明】
【００３１】
１０、２０  まな板ワイパー
１１、２１  本体部（持ち手部）
１２、２２  弾性部
１３、２３  コーム部
１４、２４  ブレード部
２５  薄ブレード部
【図１】
0003199934.tif 000003
【図２】
0003199934.tif 000004